(57)【要約】【課題】輸送の際に収納した物品に外部からアクセスされることを防止することができるプラスチック段ボール製の物品輸送ケースを提供する。【解決手段】プラスチック段ボール製の板材である蓋体３に側部突出片３３を加熱した後に折り曲げて加工することで形成し、箱体２に蓋体３の連結部３１をビス等によって開口部を開閉自在に取り付ける。この構成によって、蓋体３が可撓性を有するプラスチック段ボールであっても、側部突出片３３によって蓋部３０が撓むことを防止し、収納された内容物を覗き込んだり、取り出したりすることを防止することができる。【選択図】図１
2014221649.tif 000002
【特許請求の範囲】
【請求項１】
開口部を有する箱体と、該箱体に取り付けられ開口部を開閉自在に閉塞可能な蓋体とからなる、内部に物品を収納して梱包して輸送するための物品輸送用ケースであって、
前記箱体及び前記蓋体はプラスチック段ボール材からなり、
前記箱体の開口部は長方形状に形成され、
前記蓋体には、前記箱体と開閉自在に連結するための連結部が形成され、
更に、前記連結部と対向する前記蓋体の自由端側を正面として、正面及び側面の３か所に、箱体に向けて突出して箱体の正面及び両側面を覆うように突出片を形成することを特徴とする物品輸送用ケース。
【請求項２】
前記突出片は折り曲げ熱加工によって前記蓋体と一体形成される折曲片であることを特徴とする請求項１記載の物品輸送用ケース。
【請求項３】
前記突出片は折り曲げ熱加工によって前記蓋体と一体形成される折曲片を、角度を保持したままの蓋体であることを特徴とする請求項２記載の物品輸送用ケース。
【発明の詳細な説明】
【技術分野】
【０００１】
本発明は、電子機器等の端末装置や記憶媒体、書類等を収納して搬送するために用いる物品輸送用ケースに関する。
【背景技術】
【０００２】
従来、企業内で物品を輸送する際、「通箱」と呼ばれる再利用可能なケースが用いられている。例えば、会社内の部署から部署への書類の搬送の際に書類が散乱しないよう通箱に収納して搬送したり、またタブレット端末等一瞥して何に用いるべきものか判別が付き難いものを収納してケース外部にタグなどを付して管理する目的で用いられたり、更には内容物の外形に統一性のないものを収納することで、保管の際に容易に積み重ねることができるようにと、多様な用途で用いられている。
【０００３】
また通箱は、軽量、低コスト、加工の容易性といった利点から、その材質としてプラスチック段ボールが採用されることが多い。
【０００４】
例えば、特許文献１には、不使用時において通箱そのものの保管スペースを節減するため、容易に折り畳みや組み立てが可能な構成の通箱が開示されている。また、特許文献２には、箱の内容物等を判別するためのＩＣチップを具備する主板と、その主板の裏側にアンテナを巻きつける巻線部を有する副板とを備えるＩＣチップホルダーに関する技術が開示されており、同文献中には、蓋を具備する箱が示されており、蓋体の自由端に鍵部を形成し、これを箱の開口部に設けた枠材の縁に係合させて蓋体を固定する方法が記載されている。
【先行技術文献】
【特許文献】
【０００５】
【特許文献１】特開平５−３１９４３２号公報
【特許文献２】特開２００６−１８８２８２号公報
【発明の概要】
【発明が解決しようとする課題】
【０００６】
しかしながら、上記特許文献１の通箱の構成では、開口部を閉塞するものはなく、第三者によって収納されたものを取り出すといった内容物へのアクセスが容易であることから、機密文書等の搬送には適していない。また、特許文献２は蓋体を備える物品輸送ケースを開示しているものの、蓋体が具備する鍵部は、蓋体が開かぬよう枠材に係合するのみであり第三者による内容物のアクセスは容易であり、セキュリティ上非常に問題がある。また、錠前等に蓋体が開かないよう施錠したとしても、蓋体の材質がプラスチック段ボールである場合、例えば図８に示すようにプラスチック段ボールによって形成された蓋体３は、可撓性を有するため撓ませることは容易であり、蓋体３を撓ませることで生じる間隙から箱体２に収納された物品を外部から簡単に見ることができてしまい、内容物の大きさによっては外部へ取り出すことすら可能となってしまう虞がある。
【０００７】
本発明は、上記課題に鑑みてなされたものであり、安価で、加工が容易なプラスチック段ボール材製の蓋体及び箱体からなる物品輸送ケースであって、当該物品輸送ケースに収納する内容物への第三者による不用意なアクセスを防止することが可能な物品輸送ケースを提供することをその目的とする。
【課題を解決するための手段】
【０００８】
本発明の物品輸送用ケースは、開口部を有する箱体と、該箱体に取り付けられ開口部を開閉自在に閉塞可能な蓋体とからなる、内部に物品を収納して梱包して輸送するための物品輸送用ケースであって、前記箱体及び前記蓋体はプラスチック段ボール材からなり、前記箱体の開口部は長方形状に形成され、前記蓋体には、前記箱体と開閉自在に連結するための連結部が形成され、更に、前記連結部と対向する前記蓋体の自由端側を正面として、正面及び側面の３か所に、箱体に向けて突出して箱体の正面及び両側面を覆うように突出片を形成することを特徴とする。
【０００９】
更に、本発明の物品輸送用ケースは、前記突出片は折り曲げ熱加工によって前記蓋体と一体形成される折曲片であることを特徴とする。
【発明の効果】
【００１０】
本発明によれば、安価で成形が非常に容易な反面、輸送中の物品へのアクセスも簡単に行えてしまっていた従来のプラスチック段ボール製の物品輸送ケースに対して、蓋体を撓ませるなどしたとしても容易に収納した物品へのアクセスが行うことができない、セキュリティの高い物品輸送ケースを提供することができる。
【図面の簡単な説明】
【００１１】
【図１】本発明の実施例における、物品輸送用ケースを示す斜視図である。
【図２】同上、物品輸送用ケースの箱体を示す展開図。
【図３】同上、物品輸送用ケースの蓋体を示す展開図。
【図４】同上、物品輸送用ケースの箱体に取り付けるフレームを示す（ａ）斜視図、（ｂ）Ａ−Ａ線における断面図。
【図５】同上、物品輸送用ケースの箱体に取り付けるコーナー部を示す（ａ）斜視図、（ｂ）Ｂ−Ｂ線における断面図。
【図６】同上、物品輸送用ケースの箱体を示す（ａ）分解斜視図、（ｂ）斜視図。
【図７】同上、物品輸送用ケースの蓋体を開放した状態を示す斜視図。
【図８】従来から用いられている物品輸送用ケースを示す斜視図。
【図９】同上、折り曲げ加工中の物品輸送用ケースの蓋体を示す斜視図。
【発明を実施するための形態】
【００１２】
本発明を実施するための形態を以下に説明する。もちろん、本発明は、その発明の趣旨に反しない範囲で、本実施形態において説明した以外の構成のものに対しても容易に適用可能なことは説明を要するまでもない。
【００１３】
本実施例における物品輸送用ケースについて、図１乃至図８に基づいて説明する。図１に示すように、物品輸送用ケース１は、平面視略長方形の箱体２と蓋体３からなる。蓋体３には外形を形成する四辺に沿って連結部３１、正面突出片３２及び側部突出片３３が一体的に形成される。また、蓋体３の連結部３１は箱体２に取り付けられ、正面突出片３２を自由端として開閉自在に構成される。箱体２の開口部の四隅にはコーナー部４が設けられる。尚、箱体２及び蓋体３はプラスチック段ボール材を加工して形成されたものである。また、６はバックルであり、箱体２にはバックル（メス）６１が、蓋体３にはバックル（オス）６２が、ベルトを介して取り付けられ、互いに嵌合することによって箱体２の開口部を蓋体３の蓋部３０によって閉塞する。
【００１４】
図２は箱体２の展開図を示している。箱体２は底面板２０と、箱体２の正面側の周壁である正面板２１ａ、同じく周壁である背面板２ｂ１及び側面２３からなり、正面板２１ａ若しくは背面板２１ｂと、側面板２３を固定して箱状を成すための固定片２２が、側面板２１から延設される。図２に示す破線部分を同一方向に折り曲げ、固定片２２を側面板２３の内側となるように配置し、ビスや接着剤等適宜手段によって固定することで、正面板２１ａと背面板２１ｂ、及び２つの側面板２３を周壁とする箱体２を形成する。尚、正面板２１ａと背面板２１ｂは、便宜上その名前を異としたがその形状は同一である。
【００１５】
図３は蓋体３を示している。蓋体３は、箱体２の開口部を閉鎖するための平面状の蓋部３０を有し、蓋部３０と連結部３１、正面突出片３２、側部突出片３３がそれぞれ一体的に形成される。また、図３に示す破線を同一方向に折り曲げることによって、前述の通り箱体２との接合部となる連結部３１と、バックル（オス）６２を取り付け箱体２の正面を閉塞する正面突出片３２と、箱体２の側部を覆う側部突出片３３が、蓋部３０と一体的に形成される。
【００１６】
図４はフレーム５を示しており、図４（ａ）はフレーム５を示す斜視図であり、図４（ｂ）は図４（ａ）に示すＡ−Ａ線におけるフレーム５の断面図である。フレーム５は、プラスチック段ボール材とは異なり、内部に空間部を有さないプラスチック等の板状の樹脂からなり、図４（ａ）及び（ｂ）に示すように、断面視略コ字状に形成され、フレーム５のフレーム内壁５１は、箱体２の正面板２１ａ、背面板２１ｂ及び側面板２３の開口側端部に嵌合され、ビスや接着剤等の適宜手段にて固定する。尚、フレーム５の長手方向の寸法は、正面板２１ａ、背面板２１ｂ及び側面板２３の寸法に合わせて適宜調整されるものである。
【００１７】
図５はコーナー部４を示しており、図５（ａ）はコーナー部４を示す斜視図であり、図４（ｂ）は図４（ａ）に示すＢ−Ｂ線におけるコーナー部４の断面図である。コーナー部４はフレーム５と同質材となっており、当該フレーム５と同様に断面視略コ字状となっている。コーナー部４は基体４２が９０度に屈曲しており、略コ字状に形成された基体４２の外側に沿って突出片４１が形成される。フレーム５と同様に、コーナー部内壁４３は、固定片２２、正面板２１ａ、背面板２１ｂ及び側面板２３によって形成される箱体２の開口部の四隅に嵌合し、ビスや接着剤等の適宜手段にて固定する。
【００１８】
図６は箱体２の斜視図であり、図６（ａ）は箱体２にフレーム５及びコーナー部４を組み付け前、図６（ｂ）は組み付け後を示している。正面板２１ａ若しくは背面板２１ｂと側面板２３を固定片２２によって固定した箱体２の開口部の端部にフレーム５を嵌合し、コーナー部４を箱体２の開口部の四隅の端部に取り付け、図６（ｂ）に示すように箱体２の開口部の全周はコーナー部４及びフレーム５によって覆われる。尚、コーナー部４及びフレーム５は、前述したように接着剤やビス等の固定手段によって適宜固定される。
【００１９】
図７は、図６に示す箱体２に蓋体３を取り付けた状態を示す斜視図である。ここで、連結部３１が配置されている側を背面、それと対向するバックル６１が配置されている側を正面として以下に説明すると、箱体２の背面板２１ｂに、接着剤やビス等の固定手段によって蓋体３の連結部３１を固定する。これによって連結部３１の折曲部分を支点として蓋体３を開閉自在とすることができる。連結部３１が取り付けられた箱体２の背面板２１ｂと対向する正面板２１ａにはバックル（メス）６１が取り付けられる。また、蓋体３の連結部３１と対向する側の正面突出片３２の近傍にはバックル（オス）６２が取り付けられる。バックル（メス）６１とバックル（オス）６２は、互いに嵌合可能なように適宜位置決めされる。このような構成によって、箱体２の開口部を蓋体３の蓋部３０によって閉塞・開放することができ、閉塞状態においてバックル（メス）６１にバックル（オス）６２を嵌合させることで蓋体３の安易な離脱による箱体２の開口部の開放を防止することができる。
【００２０】
上記のような構成の物品輸送用ケースによれば、蓋体３には側部突出片３３を形成することで、蓋部３０の面方向への強度を向上させ、蓋部３０が撓むことを防止するでき、第三者による内容物の盗み見や取り出しなどを防止することが可能となる。
【００２１】
また、箱体２の開口部四隅に配したコーナー部４から突出片４１を突出させることによって蓋体３の側部を保護することで、箱体２と蓋体３の間に間隙が生じたとしても容易に箱体２に収納した物品を覗き込んだり外部に持ち出したりすることを防ぐことができ、さらには、コーナー部４で箱体２の四隅、すなわち、固定片２２を含む側面板の隣り合う部分を一体的に覆うことで、箱体２の撓みを抑制することができる。
【００２２】
図９は、蓋体３の連結部３１、正面突出片３２及び側部突出片３３の折り曲げ加工を行っている様子を示す斜視図である。プラスチック段ボール材である蓋体３の折り曲げようとする部位の近傍を８０℃〜１２０℃程度に加熱した後、作業台２００上に載置し、折り曲げ加工部１００を押し当てて正面折り曲げ片３２や、その他の折り曲げ片を折り曲げ、これを平面状に放置して自然に冷却すると媒体３の各折り曲げ位置から上下に稼働するフラップの状態にできる。逆に加熱折り曲げ後すぐに図９の折り曲げ加工部１００により曲げ角度定め、押し当てたままを常温で１分から３分程度保持すると、その角度のまま固定されることを発見した。つまり角度を保持したまま冷却することで蓋体３の各折り曲げ片が折り曲げられた状態を保持することができる。蓋体３に限らず、素材を同じくする箱体２においても、正面板２１ａ、背面板２１ｂ、側面板２３及び固定片２２を上記のように加熱後に折り曲げ、冷却することによって箱型に形成してもよい。
【００２３】
以上、本発明の実施例について詳述したが、本発明は前記実施例に限定されるものではなく、本発明の要旨の範囲内で種々の変形実施が可能である。例えば、蓋体３の連結部３１や正面突出片３２、側部突出片３３を、蓋部３０と一体的に形成した折曲片としたが、これに限定せずに、別部材をビス・接着剤等で固定して形成したものであってもよい。
【符号の説明】
【００２４】
１    物品輸送用ケース
２    箱体
２０  底面板
２１ａ  正面板
２１ｂ  背面板
２２  固定片
２３  側面板
３    蓋体
３０  蓋部
３１  連結部
３２  正面突出片
３３  側部突出片
４    コーナー部
４１  突出片
４２  コーナー部基体
４３  コーナー部内壁
５    フレーム
５１  フレーム内壁
６    バックル
６１  バックル（メス）
６２  バックル（オス）
【図１】
2014221649.tif 000003
【図２】
2014221649.tif 000004
【図３】
2014221649.tif 000005
【図４】
2014221649.tif 000006
【図５】
2014221649.tif 000007
【図６】
2014221649.tif 000008
【図７】
2014221649.tif 000009
【図８】
2014221649.tif 000010
【図９】
2014221649.tif 000011